(57)【特許請求の範囲】
【請求項１】
移動通信システムの基地局におけるハンドオーバ方法であって、前記移動通信システムは複数の基地局をさらに含み、ユーザ機器と前記基地局との間には電気通信リンクが確立されている、方法において、
前記電気通信リンクを介して前記ユーザ機器から第１の測定報告を受信するステップ（１０１）であって、前記第１の測定報告は、ハンドオーバを行うための前記複数の基地局のうちの少なくとも１つの候補基地局からの信号品質についての評価を含む、受信するステップ（１０１）と、
前記第１の測定報告からの前記信号品質についての前記評価を使用し、第１の候補基地局を選択するステップ（１０２）と、
前記第１の候補基地局に第１の要求を伝送することにより、第１のハンドオーバ準備を開始するステップ（１０３）と、
前記第１のハンドオーバ準備が失敗したかどうかを判定するステップ（１０４）と、
前記第１の測定報告の中で識別される前記候補基地局の少なくとも一部を含む、１組の候補基地局を選択するステップ（１０５）と、
前記第１のハンドオーバ準備が失敗した場合、前記１組の候補基地局のうちの複数の基地局に第２のハンドオーバ要求を伝送することにより、第２のハンドオーバ準備を開始するステップ（１０６）と、
前記第２のハンドオーバ準備が失敗しなかった場合、前記第２のハンドオーバ準備が失敗しなかった前記１組の候補基地局からターゲット基地局を選択するステップ（１０７）と、
前記基地局から前記ターゲット基地局への前記ユーザ機器の前記ハンドオーバを開始するステップ（１０８）と
を含み、
前記第１の要求および前記第２の要求は、前記ユーザ機器によって使用される１組の無線ベアラを示す、方法。
【請求項２】
前記第１の候補基地局から失敗メッセージ（２０７）を受信する場合、または前記第１のハンドオーバ要求（２０６）を前記伝送してから第１の定義済み時間が満了している場合、前記第１のハンドオーバ準備は失敗している、請求項１に記載の方法。
【請求項３】
前記ユーザ機器（２０１）から前記第１の測定報告に続いて第２の測定報告（３０５）を受信し、前記第２の測定報告（３０５）は、少なくとも１つの候補基地局の信号品質についての第２の評価を含み、前記第２のハンドオーバ準備を行うための前記１組の候補基地局は、前記第２の測定報告（３０５）の中で識別される前記候補基地局における前記複数の基地局を含む、請求項１に記載の方法。
【請求項４】
前記第２のハンドオーバ準備（３０７）を行うための前記１組の候補基地局は、前記基地局に関係する以前のハンドオーバ準備から収集した統計データを使用して選択される少なくとも１つの候補基地局を含む、請求項１に記載の方法。
【請求項５】
前記ターゲット基地局（３１０）は、ハンドオーバを以前成功した割合が最も高い、前記統計データ内で指示される候補基地局である、請求項４に記載の方法。
【請求項６】
前記ハンドオーバを開始する前に前記ユーザ機器（２０１）から、前記第２の測定報告（３０５）に続く第３の測定報告（４０８）を受信し、前記方法は、前記第３の測定報告（４０８）からの少なくとも代わりの候補基地局に第３のハンドオーバ準備（４１３）を送信するステップをさらに含む、請求項１に記載の方法。
【請求項７】
前記基地局が前記ターゲット基地局から第１のハンドオーバ肯定応答メッセージを受信した後、前記ターゲット基地局（４１１）は選択され、前記基地局が少なくとも前記第１のハンドオーバ肯定応答メッセージを受信する場合、前記第１のハンドオーバ準備は失敗していない、請求項１または２のいずれか１項に記載の方法。
【請求項８】
前記ターゲット基地局（４１１）は、前記１組の候補基地局のサブセットから選択され、前記候補基地局のサブセットは、前記基地局にハンドオーバ肯定応答メッセージを送信した候補基地局を含む、請求項１または２のいずれか１項に記載の方法。
【請求項９】
前記ターゲット基地局（４１１）は、前記ユーザ機器が使用している前記１組の無線ベアラをサポートすることを受け入れた候補基地局の前記サブセットから選択される、請求項８に記載の方法。
【請求項１０】
前記ターゲット基地局（４１１）は、前記ユーザ機器が使用している前記１組の無線ベアラの中から、最大数の無線ベアラをサポートすることを受け入れた候補基地局の前記サブセットから選択される、請求項８に記載の方法。
【請求項１１】
前記第２のハンドオーバ要求を伝送した後に第２の定義済み時間を設定するステップ（５０１）をさらに含み、
前記ターゲット基地局を前記選択するステップは、前記第２の定義済み時間の間に前記基地局がハンドオーバ肯定応答メッセージを受信する場合にのみ、前記基地局に前記ハンドオーバ肯定応答メッセージを送信する前記ターゲット基地局を選択するステップ（５０２）をさらに含み、
前記基地局が複数のハンドオーバ肯定応答メッセージを受信する場合、前記ターゲット基地局を前記選択するステップは、前記ユーザ機器が使用している前記無線ベアラ一式をサポートすることを受け入れた前記ターゲット基地局を選択するステップ（５０３）をさらに含み、前記ターゲット基地局は前記１組の候補基地局のサブセットから選択され、前記サブセットは、前記基地局にハンドオーバ肯定応答メッセージを送信した候補基地局を含む、請求項１または２のいずれか１項に記載の方法。
【請求項１２】
前記ターゲット基地局を前記選択するステップは、
前記ユーザ機器が使用している無線ベアラの最大数を有する前記ターゲット基地局を選択するステップ（５０４）をさらに含み、前記ユーザ機器が使用している前記１組の無線ベアラをサポートすることを受け入れる前記サブセットの候補基地局がない場合、前記ターゲット基地局は前記１組の候補基地局の前記サブセットから選択される、請求項１１に記載の方法。
【請求項１３】
前記第２の定義済み時間が満了し、前記第２の定義済み時間内にハンドオーバ肯定応答メッセージを受信しない場合、前記ターゲット基地局を前記選択するステップは、以前のハンドオーバ準備から収集した統計値から前記ターゲット基地局を選択するステップ（５０５）をさらに含む、請求項１２に記載の方法。
【請求項１４】
請求項１乃至１３のいずれか１項による方法を実行するように動作可能な基地局。
【請求項１５】
記憶媒体上に記憶されるコンピュータ・プログラムであって、基地局上で前記プログラムが実行されるとき、請求項１乃至１３のいずれか１項による方法を前記基地局に実行させるための実行可能プログラム手段を含む、コンピュータ・プログラム。
【発明の詳細な説明】
【技術分野】
【０００１】
本発明は、移動通信システムの基地局におけるハンドオーバ方法、基地局、およびコンピュータ・プログラム製品に関する。
【背景技術】
【０００２】
セルラ・ネットワークでは、１つのセルが典型的にはいくつかの隣接セルを有する。ハンドオーバ手順は、あるセルから別のセルへの境界をユーザ機器が横断するときに呼が継続することを可能にする。ハンドオーバの基本概念は、ユーザ端末があるセルのカバレッジ・エリアから別のセルのカバレッジ・エリアに移動するとき、ターゲット・セルへの新たな接続がセットアップされ、前のセルへの接続を解放することができるものである。このハンドオーバの間、シグナリング・メッセージの遅延によって引き起こされるデータ途切れ（ｄａｔａ  ｉｎｔｅｒｒｕｐｔｉｏｎ）が発生し、または候補基地局およびソース基地局とのシグナリング中の問題によって引き起こすことがある。
【０００３】
概して、セルラ無線システムにおいてユーザ機器があるセルから別のセルに移動し、ハンドオーバが行われるとき、そのハンドオーバはハード・ハンドオーバまたはソフト・ハンドオーバとして述べることができる。ハード・ハンドオーバの間、新たな接続をセットアップする前に前の接続は切断される。したがって、データ途切れの問題を減らすためにハンドオーバ・マージンが使用される。しかし、そのような場合、ハンドオーバ・マージン、およびハンドオーバ手順の遅延が原因で、基地局接続を利用することができない。ソフト・ハンドオーバの間、更新マージンも使用される。
【０００４】
さらに、基地局を識別し、移動通信システム内のアクティブ・セットを形成するためにパイロット信号が使用される。このパイロット信号は、各基地局により各基地局のカバレッジ・エリアに絶えず伝送される。このパイロット信号は互いに異なるので、ユーザ機器はこのパイロット信号に基づいて基地局を識別することができる。ユーザ機器はパイロット信号を絶えず測定し、そのユーザ機器の近くに位置しハンドオーバまたは接続を確立するための可能な候補である基地局、および対応するパイロット信号の信号品質水準についての測定リストを保持する。
【０００５】
その測定リスト上の基地局は、アクティブ・セットのメンバになることができる候補群を形成する。ユーザ機器は、その測定リスト上にある基地局のパイロット信号だけをモニタすることができる。ユーザ機器が移動するとき、測定リストが必要に応じて更新される。更新プロセスは、パイロット信号の強度に基づき、ユーザ機器の測定に応じて実行される。つまり、基地局が伝送するパイロット信号が十分な強度で受信される場合、その基地局は測定リストに追加される。
【発明の概要】
【課題を解決するための手段】
【０００６】
本発明は、移動通信システムの基地局におけるハンドオーバ方法に関し、その移動通信システムは複数の基地局をさらに含む。ユーザ機器と基地局との間には電気通信リンクが確立されており、この方法は、その電気通信リンクを介してユーザ機器（ＵＥ）から第１の測定報告を受信するステップであって、その第１の測定報告は、ハンドオーバを行うための複数の基地局のうちの少なくとも１つの候補基地局からの信号品質についての評価を含む、受信するステップと、その第１の測定報告からの信号品質についての評価を使用し、第１の候補基地局を選択するステップと、その第１の候補基地局に第１の要求を伝送することにより、第１のハンドオーバ準備を開始するステップとを含む。
【０００７】
この方法は、その第１のハンドオーバ準備が失敗したかどうかを判定するステップと、第１の測定報告の中で識別される候補基地局の少なくとも一部を含む、１組の候補基地局を選択するステップと、第１のハンドオーバ準備が失敗した場合、その１組の候補基地局のうちの少なくとも１つに第２のハンドオーバ要求を伝送することにより、第２のハンドオーバ準備を開始するステップと、第２のハンドオーバ準備が失敗しなかった場合、その１組の候補基地局からターゲット基地局を選択するステップと、基地局からターゲット基地局へのユーザ機器のハンドオーバを開始するステップとをさらに含む。第１の要求および第２の要求は、ユーザ機器によって使用される１組の無線ベアラを示す。
【０００８】
本明細書で使用するとき、用語「基地局」は、ユーザ機器とデータを交換することができる任意の種類の固定されたネットワーク要素を指す。本明細書で使用するとき、用語「ユーザ機器」は、無線通信リンク上で無線通信ネットワークとデータを交換することができる任意の種類の固定されたまたは可動性（もしくは携帯型）の通信端末を指す。結果として、ユーザ機器は、とりわけ、ローカル・ルータもしくはサーバに接続され、無線通信インターフェイスを備える電話もしくはデスクトップ・コンピュータ、携帯電話、無線通信インターフェイスを備えるラップトップ・コンピュータもしくは携帯情報端末（すなわちＰＤＡ）、無線通信インターフェイスを備えるサーバもしくはローカル・ルータ、高周波無線受信機、または地上もしくは衛星テレビ受信機とすることができる。
【０００９】
諸実施形態の複数の利点のうちの１つは、ハンドオーバまたは無線リンクの障害が原因でユーザ機器のハンドオーバの任意の段階が失敗する場合に、代わりの基地局に素早く切り替えることを可能にすることである。ターゲット基地局における承認の失敗によってトリガされる複数のハンドオーバ準備を開始することにより、ハンドオーバ肯定応答を送信した１組の基地局の中からアルゴリズムが選ぶことができるので、基地局は、その基地局内でユーザ機器が使用する無線ベアラもしくはサービスの全てまたはほとんどをサポートすることができる、あり得る最良の候補を見つけ出すことを確実にする。
【００１０】
一実施形態によれば、第１の候補基地局から失敗メッセージを受信する場合、または第１のハンドオーバ要求を伝送してから第１の定義済み時間が満了している場合、第１のハンドオーバ準備は失敗している。
【００１１】
一実施形態によれば、ユーザ機器から第２の測定報告を受信する。この第２の測定報告は、少なくとも１つの候補基地局の信号品質についての第２の評価を含む。第２のハンドオーバ準備を行うための１組の候補基地局は、第２の測定報告の中で識別される候補基地局の少なくとも一部を含む。
【００１２】
一実施形態によれば、第２のハンドオーバ準備を行うための１組の候補基地局は、１組の候補基地局のうちの少なくとも１つの候補基地局を含む。その少なくとも一部の候補基地局は、その基地局に関係する以前のハンドオーバ準備から収集した統計データを使用して選択される。
【００１３】
一実施形態によれば、ターゲット基地局は、ハンドオーバを以前成功した割合が最も高い、統計データ内で指示される候補基地局である。
【００１４】
一実施形態によれば、ハンドオーバを開始する前にユーザ機器から第３の測定報告を受信し、この方法は、その第３の測定報告からの少なくとも代わりの候補基地局に第３のハンドオーバ準備を送信するステップをさらに含む。
【００１５】
一実施形態によれば、基地局がターゲット基地局から第１のハンドオーバ肯定応答メッセージを受信した後、ターゲット基地局は選択される。基地局が少なくとも第１のハンドオーバ肯定応答メッセージを受信する場合、第２のハンドオーバ準備は失敗していない。
【００１６】
一実施形態によれば、ターゲット基地局は、１組の候補基地局のサブセットから選択される。その候補基地局のサブセットは、基地局にハンドオーバ肯定応答メッセージを送信した候補基地局を含む。
【００１７】
一実施形態によれば、ターゲット基地局は、ユーザ機器が使用している１組の無線ベアラをサポートすることを受け入れた候補基地局のサブセットから選択される。
【００１８】
一実施形態によれば、ターゲット基地局は、ユーザ機器が使用している１組の無線ベアラの中から、最大数の無線ベアラをサポートすることを受け入れた候補基地局のサブセットから選択される。
【００１９】
一実施形態によれば、この方法は、第２のハンドオーバ要求を伝送した後に第２の定義済み時間を設定するステップをさらに含む。ターゲット基地局を選択するステップは、その第２の定義済み時間の間に基地局がハンドオーバ肯定応答メッセージを受信する場合にのみ、基地局にハンドオーバ肯定応答メッセージを送信するターゲット基地局を選択するステップをさらに含む。さらに、基地局が複数のハンドオーバ肯定応答メッセージを受信する場合、ターゲット基地局を選択するステップは、ユーザ機器が使用している無線ベアラ一式をサポートすることを受け入れたターゲット基地局を選択するステップをさらに含み、そのターゲット基地局は１組の候補基地局のサブセットから選択され、そのサブセットは、基地局にハンドオーバ肯定応答メッセージを送信した候補基地局を含む。
【００２０】
一実施形態によれば、ターゲット基地局を選択するステップは、ユーザ機器が使用している無線ベアラの最大数を有するターゲット基地局を選択するステップをさらに含み、ユーザ機器が使用している１組の無線ベアラをサポートすることを受け入れるサブセットの候補基地局がない場合、ターゲット基地局は１組の候補基地局のサブセットから選択される。
【００２１】
一実施形態によれば、第２の定義済み時間が満了し、その第２の定義済み時間内にハンドオーバ肯定応答メッセージを受信しない場合、このターゲット基地局を選択するステップは、以前のハンドオーバ準備から収集した統計値からターゲット基地局を選択するステップをさらに含む。
【００２２】
別の態様では、本発明は、上記の実施形態のいずれか１つによる方法を実行するように動作可能な基地局に関する。
【００２３】
別の態様では、本発明は、記憶媒体上に記憶されるコンピュータ・プログラム製品であって、基地局上でそのプログラムが実行されるとき、上記の実施形態のいずれかによる方法をその基地局に実行させるための実行可能プログラム手段を含む、コンピュータ・プログラム製品に関する。
【００２４】
以下に、図面を参照しながら専ら例として本発明の好ましい実施形態をより詳細に説明する。
【図面の簡単な説明】
【００２５】
【図１】移動通信システムの基地局におけるハンドオーバ方法の一実施形態の流れ図である。
【図２】諸実施形態によるハンドオーバ方法中のシグナリングの一実施形態を示す図である。
【図３】諸実施形態のハンドオーバ方法中の、ユーザ機器と基地局との間のシグナリングの一実施形態を示す図である。
【図４】このハンドオーバ方法中のシグナリング形態の一実施形態を示す図である。
【図５】諸実施形態のうちの１つを説明する流れ図である。
【図６】基地局を図示するブロック図である。
【発明を実施するための形態】
【００２６】
図１は、移動通信システムの基地局におけるハンドオーバ方法の流れ図１００を示す。この移動通信システムは、複数の基地局をさらに含む。ユーザ機器と基地局との間には電気通信リンクが確立される。この方法は最初のステップ１０１で、その電気通信リンクを介してユーザ機器から第１の測定報告を受信する。この測定報告は、ハンドオーバを行うための複数の基地局のうちの候補基地局の信号品質についての評価を含む。第２のステップ１０２で、その第１の測定報告からの信号品質についての評価を使用し、第１の候補基地局を選択する。
【００２７】
その評価は、そのユーザ機器にとって第１の候補基地局が最高の信号強度を有することを指示することができる。第３のステップ１０３で、第１の候補基地局に第１の要求を伝送することにより、第１のハンドオーバ準備を開始する。第４のステップ１０４で、その第１のハンドオーバ準備が失敗したかどうかを判定する。第１の候補基地局から失敗メッセージを受信する場合、または第１のハンドオーバ要求を伝送してから第１の所定時間が満了している場合、第１のハンドオーバ準備は失敗している。その失敗メッセージは、ユーザ機器が使用する無線ベアラのいずれをも第１の候補基地局がサポートできないことを指示することができる。
【００２８】
第５のステップ１０５で、１組の候補基地局を選択し、その組は第１の測定報告の中で識別される候補基地局の少なくとも一部を含む。第６のステップ１０６で、第１のハンドオーバ準備が失敗している場合、１組の候補基地局に第２のハンドオーバ要求を伝送することにより、第２のハンドオーバ準備を開始する。基地局から複数の基地局を準備することができるので、この第２のハンドオーバ準備は、複数のハンドオーバ準備として定義することができる。
【００２９】
第７のステップ１０７で、第２のハンドオーバ準備が成功した場合、言い換えれば第２のハンドオーバ準備が失敗しなかった場合、その１組の候補基地局からターゲット基地局を選択する。そのターゲット基地局は、基地局にハンドオーバ肯定応答メッセージを送信した１組の候補基地局のサブセットから選択することができ、そのハンドオーバ肯定応答メッセージは基地局によって成功裏に受信されている。定義済み時間の間に基地局が単一の肯定応答メッセージを受信する場合、その単一の肯定応答メッセージを送信した候補基地局がターゲット基地局として選択される。
【００３０】
第８のステップ１０８で、基地局からターゲット基地局にユーザ機器のハンドオーバを開始する。第１の要求および第２の要求は、ユーザ機器によって使用される１組の無線ベアラを示す。この１組の無線ベアラは、ターゲット基地局の選択プロセスの間、とりわけ基地局が１組の候補基地局から複数の肯定応答メッセージを受信する場合に考慮に入れることができる。
【００３１】
図２は、ユーザ機器２０１、ソース基地局２０２、および１組の候補基地局２０３の間のシグナリングを示す。
【００３２】
ユーザ機器２０１が、ユーザ機器２０１とのリンクが確立されている基地局に相当するソース基地局２０２に、測定報告２０４を伝送する。ソース基地局２０２は、測定報告２０４の中で受け取った情報を使って基地局の候補リストをコンパイルし、その候補リストは、ターゲット基地局へのハンドオーバを指示しまたはトリガすることができる。最初の事例では、ソース基地局２０２が第１の候補基地局２０５に第１のハンドオーバ要求を伝送する。候補基地局２０５は、ユーザ機器２０１にとって最も強い信号を有する、リストの候補基地局に相当することができる。第１の候補基地局２０５がそのハンドオーバ要求を受け入れることができない場合、第１の候補基地局２０５は、ソース基地局２０２にハンドオーバ準備失敗メッセージ２０７を送り返す。ハンドオーバ準備の失敗は、第１の候補基地局２０５から応答を受信しない結果でもあり得る。
【００３３】
第１のハンドオーバ準備の失敗を検出することは、前述の１組の候補基地局の中の少なくとも１つの基地局への第２のハンドオーバ準備２０９を開始する、準備決定２０８をトリガする。ソース基地局２０２は、１組の候補基地局２０３に第２のハンドオーバ要求２０９を伝送し、その１組の候補基地局からの応答を待つ。ソース基地局２０２が少なくとも２つの「ハンドオーバ要求肯定応答」２１０を受信する場合、ハンドオーバ・コマンド決定（ｈａｎｄｏｖｅｒ  ｃｏｍｍａｎｄ  ｄｅｃｉｓｉｏｎ）２１１がトリガされる。ハンドオーバ・コマンド決定エンティティ２１１は、１組の候補基地局のサブセットからターゲット基地局を選択し、そのサブセットは、ハンドオーバ要求肯定応答を送信し、そのハンドオーバ要求肯定応答２１０がソース基地局２０２によって成功裏に受信された、候補基地局に相当する。さらに、ユーザ機器２０１にハンドオーバ・コマンド２１３を送信することにより、ソース基地局２０２からターゲット基地局２１２へのユーザ機器のハンドオーバが開始される。ユーザ機器２０１がハンドオーバ・コマンド２１３を受信すると、ユーザ機器２０１は、ターゲット基地局２１２へのハンドオーバを実行する。
【００３４】
図３は、ユーザ機器２０１、ソース基地局２０２、および１組の候補基地局３０３の間のこのハンドオーバ方法におけるシグナリングの一実施形態を示す。
【００３５】
測定報告３０１をユーザ機器が伝送し、ソース基地局２０２が受信することは、１組の候補基地局の信号品質についての評価の内容を受けて、第１のハンドオーバ準備をトリガすることができる。ソース基地局２０２は、第１の測定報告３０１からの信号品質についての評価を使用して第１の候補基地局３０３を選択し、その第１の候補基地局３０３に第１のハンドオーバ要求３０２を伝送する。ソース基地局２０２がハンドオーバ準備の失敗３０４を検出する場合、ソース基地局２０２は、ユーザ機器２０１が伝送する第２の測定報告３０５を受信することができる。第２の測定報告３０５は、複数の準備を行う決定ステップ３０６の間に考慮に入れることができる、候補基地局の信号品質についての第２の評価を含む。第２のハンドオーバ準備を開始する間に選択される１組の候補基地局は、第２の測定報告３０５の中で識別される候補基地局の一部を含むことができる。
【００３６】
次いで、第１のハンドオーバ準備が失敗したので、ソース基地局２０２が、その選択された１組の候補基地局に第２のハンドオーバ要求３０７を伝送する。第１のハンドオーバ要求を１組の候補基地局に送信した後、所定時間の間にタイマをセットアップすることができる。この時間の間に、ソース基地局２０２が、候補基地局の一部からハンドオーバ要求肯定応答３０８を受信する。ハンドオーバ・コマンド決定３０９が、ハンドオーバ要求肯定応答３０８を伝送した１組の候補基地局のサブセットから、ターゲット基地局を選択することを開始する。
【００３７】
ハンドオーバ・コマンド決定３０９の間に選択されるターゲット基地局３１０は、ユーザ機器２０１が使用している無線ベアラ一式をサポートすることを受け入れた候補基地局に相当することができる。あるいは、ハンドオーバ・コマンド決定３０９の間に選択されるターゲット基地局３１０は、ユーザ機器が使用している１組の無線ベアラの中から、最大数の無線ベアラをサポートすることを受け入れる候補基地局に相当することができる。選択されるターゲット基地局３１０は、ハンドオーバ要求肯定応答３０８のうちの１つを送信した候補基地局の１つに相当する。
【００３８】
ターゲット基地局３１０を選択した後、ソース基地局２０２がユーザ機器にハンドオーバ・コマンド３１１を伝送する。そのハンドオーバ・コマンドを受信した後、ユーザ機器はターゲット基地局３１０へのハンドオーバを行う。
【００３９】
図４は、ユーザ機器２０１、ソース基地局２０２、および１組の候補基地局２０３の間のこのハンドオーバ方法のシグナリングを示す。測定報告４０１が、ソース基地局２０２によるハンドオーバ準備の開始をトリガする。ソース基地局２０２が、測定報告４０１の中に含まれる評価を使用して選択されている第１の候補基地局４０３にハンドオーバ要求４０２を伝送する。ソース基地局２０２は、その第１の候補基地局４０３が失敗メッセージを伝送する場合、またはその第１の候補基地局から応答を受信しない場合、ハンドオーバ準備の失敗４０４を検出することができる。この時間の間に、ソース基地局２０２は、オプションで第２の測定報告４０５を受信することができ、この第２の測定報告４０５は、複数の準備を行う決定４０６中の入力として使用することができる。
【００４０】
複数の準備を行う決定４０６は、１組の候補基地局を選択し、その１組の候補基地局にハンドオーバ要求４０７を伝送することにより複数のハンドオーバ手順を開始する。ソース基地局２０２は、オプションで定義済み時間を有するタイマを開始することができる。この定義済み時間の間に、ソース基地局２０２は、ユーザ機器の近くにある候補基地局についての第３の評価を含む、第３の測定報告４０８をユーザ機器２０１から受信することができる。この時間の間に、その１組の候補基地局のサブセットから１つまたは複数のハンドオーバ要求肯定応答４０９を受信し、その要求には、ハンドオーバ要求の受入れおよび候補基地局がサポートする無線ベアラの数が指定される。
【００４１】
ハンドオーバ・コマンド決定４１０は、この情報を使ってターゲット基地局４１１を選択し、そのターゲット基地局の情報をユーザ機器２０１にハンドオーバ・コマンド４１２を使って伝送する。一定の条件が満たされる場合、第３の測定報告４０８のコンテキストに基づき、ソース基地局２０２は、代わりの候補基地局にさらなるハンドオーバ要求４１３を送信することができる。その条件とは、例えばその代わりの基地局の信号品質の閾値とすることができる。ハンドオーバ要求４１３は、ユーザ機器とターゲット基地局４１１との間のハンドオーバが失敗する場合に有用であり得る。ユーザ機器２０１がハンドオーバ・コマンド４１２を受信した後、ユーザ機器２０１はターゲット基地局４１１へのハンドオーバを行う。
【００４２】
定義済み時間の間にソース基地局２０２がハンドオーバ要求肯定応答を一切受信しない場合、ハンドオーバ要求を伝送するための少なくとも代わりの候補基地局を選択するために、ソース基地局２０２に関係する以前のハンドオーバ準備から収集した統計データを使用することができる。統計データを使用して選択されるその代わりの基地局は、ソース基地局から始まるハンドオーバを以前成功した割合が最も高い基地局に相当することができる。
【００４３】
ソース基地局２０２が単一の第１のハンドオーバ肯定応答メッセージを受信する場合、選択されるターゲット基地局は、ソース基地局２０２によって受信される、この単一のハンドオーバ肯定応答メッセージを伝送する基地局に相当する。ソース基地局２０２が複数のハンドオーバ要求肯定応答を受信する場合、ユーザ機器２０１が使用する無線ベアラ一式をサポートする候補基地局、あるいは選択される候補基地局が、最大数の無線ベアラをサポートする基地局である。この基地局は、ハンドオーバ要求肯定応答を伝送した１組の候補基地局のサブセットの一部を形成する。
【００４４】
図５は、第２のハンドオーバ準備が成功する場合の、ターゲット基地局を選択するステップの詳細についての一実施形態の流れ図５００を示す。最初のステップ５０１で、１組の候補基地局に第２のハンドオーバ要求を伝送した後、定義済み時間を設定する。第２のステップ５０２で、ハンドオーバ肯定応答メッセージがその定義済み時間の間に基地局によって受信される唯一のメッセージである場合、ターゲット基地局を選択するステップは、基地局にそのハンドオーバ肯定応答メッセージを送信するターゲット基地局を選択するステップをさらに含む。第３のステップ５０３で、ユーザ機器が使用している無線ベアラ一式をサポートすることを受け入れた候補基地局としてターゲット基地局を選択する。このターゲット基地局は、１組の候補基地局のサブセットから選択される。そのサブセットは、基地局にハンドオーバ肯定応答メッセージを送信した候補基地局を含む。基地局が複数のハンドオーバ肯定応答メッセージを受信する場合、この第３のステップ５０３を適用する。
【００４５】
第４のステップ５０４で、このターゲット基地局を選択するステップは、ユーザ機器が使用している無線ベアラの最大数を有するターゲット基地局を選択するステップをさらに含む。ユーザ機器が使用している無線ベアラ一式をサポートすることを受け入れるサブセットの候補基地局がない場合、および基地局が複数のハンドオーバ肯定応答メッセージを受信している場合、選択されるターゲット基地局が１組の候補基地局のサブセットから選択される。
【００４６】
第５のステップ５０５で、定義済み時間が満了し、その第２の定義済み時間内に基地局がハンドオーバ肯定応答メッセージを受信していない場合、このターゲット基地局を選択するステップは、以前のハンドオーバ準備から収集した統計値からターゲット基地局を選択するステップをさらに含む。
【００４７】
図６は、ユーザ機器６０２とのリンクが確立されており、基地局６０１が１組の候補基地局６０３に結合された状態の、基地局６０１を含む移動通信システム６００を示す。
【００４８】
ソース基地局６０１は、電気通信リンクを介してユーザ機器から第１の測定報告を受信するための手段６０４を含む。この第１の測定報告は、ハンドオーバを行うための複数の基地局のうちの候補基地局の信号品質についての評価を含む。ソース基地局６０１は、その第１の測定報告からの信号品質についての評価を使用し、第１の候補基地局を選択するための手段６０５と、その第１の候補基地局に第１の要求を伝送することにより、第１のハンドオーバ準備を開始するための手段６０６と、その第１のハンドオーバ準備が失敗したかどうかを判定するための手段６０７とをさらに含む。
【００４９】
ソース基地局６０１は、第１の測定報告の中で識別される候補基地局の少なくとも一部を含む、１組の候補基地局を選択するための手段６０８と、第１のハンドオーバ準備が失敗した場合、その１組の候補基地局に第２のハンドオーバ要求を伝送することにより、第２のハンドオーバ準備を開始するための手段６０９とをさらに含む。ソース基地局６０１は、第２のハンドオーバ準備が失敗しなかった場合、その１組の候補基地局からターゲット基地局を選択するための手段６１０と、基地局からターゲット基地局へのユーザ機器のハンドオーバを開始するための手段６１１とをさらに含む。第１の要求および第２の要求は、ユーザ機器によって使用される１組の無線ベアラを示す。
【符号の説明】
【００５０】
１００  流れ図
１０１  最初のステップ
１０２  第２のステップ
１０３  第３のステップ
１０４  第４のステップ
１０５  第５のステップ
１０６  第６のステップ
１０７  第７のステップ
１０８  第８のステップ
２０１  ユーザ機器
２０２  ソース基地局
２０３  候補基地局
２０４  測定報告
２０５  第１の候補基地局
２０６  ハンドオーバ要求
２０７  ハンドオーバ準備失敗
２０８  複数の準備を行う決定
２０９  ハンドオーバ要求
２１０  ハンドオーバ要求肯定応答
２１１  ハンドオーバ・コマンド決定
２１２  ターゲット基地局
２１３  ハンドオーバ・コマンド
３０１  測定報告
３０２  ハンドオーバ要求
３０３  第１の候補基地局
３０４  ハンドオーバ準備失敗
３０５  第２の測定報告
３０６  複数の準備を行う決定
３０７  ハンドオーバ要求
３０８  ハンドオーバ要求肯定応答
３０９  ハンドオーバ・コマンド決定
３１０  ターゲット基地局
３１１  ハンドオーバ・コマンド
４０１  測定報告
４０２  ハンドオーバ要求
４０３  第１の候補基地局
４０４  ハンドオーバ準備失敗
４０５  第２の測定報告
４０６  複数の準備を行う決定
４０７  ハンドオーバ要求
４０８  第３の測定報告
４０９  ハンドオーバ要求肯定応答
４１０  ハンドオーバ・コマンド決定
４１１  ターゲット基地局
４１２  ハンドオーバ・コマンド
４１３  ハンドオーバ要求
５００  流れ図
５０１  最初のステップ
５０２  第２のステップ
５０３  第３のステップ
５０４  第４のステップ
５０５  第５のステップ
６００  移動通信システム
６０１  ソース基地局
６０２  ユーザ機器
６０３  候補基地局
６０４  受信するための手段
６０５  選択するための手段
６０６  開始するための手段
６０７  判定するための手段
６０８  選択するための手段
６０９  開始するための手段
６１０  選択するための手段
６１１  開始するための手段
【図１】
0005265784.tif 000002
【図５】
0005265784.tif 000003
【図６】
0005265784.tif 000004
【図２】
0005265784.tif 000005
【図３】
0005265784.tif 000006
【図４】
0005265784.tif 000007